(57)【要約】【課題】車輪の回転速度を光学的に検出することが可能な小型で低価格な軸受ユニットを提供する。【解決手段】車体側に固定されて常時非回転状態に維持される静止輪(外輪)２と、車輪側に接続されて車輪と共に回転する回転輪(内輪)４と、静止輪と回転輪との間に転動自在に組込まれた複数の転動体6,8と、回転輪と共に回転しながら各転動体を回転可能に保持する保持器１８と、車輪の回転速度を光学的に検出する光学センサ(発光素子Ｐ１、受光素子Ｐ２)とを備えた軸受ユニットであって、保持器には、当該保持器の回転方向に沿って所定間隔で光反射部材が設けられており、光学センサは、各光反射部材からの反射光の特性変化に基づいて、車輪の回転速度を検出する。【選択図】    図１
2007046911.tif 000002
【特許請求の範囲】
【請求項１】
車体側に固定されて常時非回転状態に維持される静止輪と、車輪側に接続されて車輪と共に回転する回転輪と、静止輪と回転輪との間に転動自在に組込まれた複数の転動体と、回転輪と共に回転しながら各転動体を回転可能に保持する保持器と、車輪の回転速度を光学的に検出する光学センサとを備えた軸受ユニットであって、
保持器には、当該保持器の回転方向に沿って所定間隔で光反射部材が設けられており、光学センサは、各光反射部材からの反射光の特性変化に基づいて、車輪の回転速度を検出する特徴とする軸受ユニット。
【請求項２】
光学センサは、光反射部材に向けて光を発光する発光素子と、光反射部材からの反射光を受光する受光素子とを備えており、発光素子から発光した光が光反射部材から反射して受光素子に受光された際に、受光素子から出力された電気信号の特性変化に基づいて、車輪の回転速度が検出されることを特徴とする請求項１に記載の軸受ユニット。
【請求項３】
光学センサは、静止輪に固定されたセンサ保持体に対して、保持機構により着脱自在に保持可能に構成されており、当該光学センサをセンサ保持体に保持した状態で、受光素子は、光反射部材からの反射光を受光可能位置に位置決めされることを特徴とする請求項２に記載の軸受ユニット。
【請求項４】
静止輪には、少なくとも１つの静止軌道面が周方向に沿って形成され、回転輪には、少なくとも１つの回転軌道面が静止軌道面に対向して周方向に沿って形成されており、複数の転動体は、静止軌道面と回転軌道面との間に回転可能に組込まれていることを特徴とする請求項１〜３のいずれかに記載の軸受ユニット。
【請求項５】
静止輪には、当該静止輪を車体側に固定するためのフランジが設けられており、回転輪には、当該回転輪を車輪側に接続させるためのフランジが設けられていることを特徴とする請求項１〜４のいずれかに記載の軸受ユニット。
【請求項６】
保持機構は、センサ保持体に形成され且つ光学センサを挿入可能なセンサ挿入孔と、光学センサに設けられ且つセンサ挿入孔に対する光学センサの挿入位置を規定するフランジ部と、フランジ部をセンサ保持体に固定するセンサ固定ボルトとを備えていることを特徴とする請求項３〜５のいずれかに記載の軸受ユニット。
【発明の詳細な説明】
【技術分野】
【０００１】
本発明は、自動車の車輪(例えば、ディスクホイール)を車体(例えば、懸架装置(サスペンション))に対して回転自在に支持すると共に、車輪の回転速度を光学的に検出することが可能な軸受ユニットに関する。
【背景技術】
【０００２】
従来、この種の軸受ユニットには、例えば特許文献１に示すように、車体(懸架装置(サスペンション))に固定されて常時非回転状態に維持される静止輪と、車輪(ディスクホイール)に接続されて車輪と共に回転する回転輪とが設けられており、自動車の走行時に、回転輪の回転速度をセンサ(発光器と受光器とから成るセンサ)で検出することで、車輪の回転速度が光学的に計測される。
【０００３】
具体的に説明すると、かかる軸受ユニットには、トーンホイールと称するスリット部材が回転輪に増設されている。このスリット部材には、複数のスリットが周方向に沿って等間隔に形成されており、発光器から発光した光が各スリットを透過して受光器で受光されるようになっている。この場合、単位時間当たりに各スリットを透過した光が受光器で検出された際、当該受光器から出力された検出信号の変化特性に基づいて、車輪の回転速度が計測される。
【０００４】
ところで、このようなトーンホイール(スリット部材)は、その各スリットが発光器と受光器との間の光路中に位置付けられるように配置されるが、かかる配置構成を実現するためには、軸受ユニット内に比較的大きなスペースを確保する必要がある。このため、軸受ユニットの小型化には限界があった。また、複数のスリットが形成されたトーンホイール(スリット部材)は、その製造コストが比較的高価であるため、これを用いた軸受ユニットの製造コストも上昇してしまう。
【特許文献１】特開平９−１０１３１８号公報
【発明の開示】
【発明が解決しようとする課題】
【０００５】
本発明は、このような問題を解決するためになされており、その目的は、車輪の回転速度を光学的に検出することが可能な小型で低価格な軸受ユニットを提供することにある。
【課題を解決するための手段】
【０００６】
このような目的を達成するために、本発明は、車体側に固定されて常時非回転状態に維持される静止輪と、車輪側に接続されて車輪と共に回転する回転輪と、静止輪と回転輪との間に転動自在に組込まれた複数の転動体と、回転輪と共に回転しながら各転動体を回転可能に保持する保持器と、車輪の回転速度を光学的に検出する光学センサとを備えた軸受ユニットであって、保持器には、当該保持器の回転方向に沿って所定間隔で光反射部材が設けられており、光学センサは、各光反射部材からの反射光の特性変化に基づいて、車輪の回転速度を検出する。
【０００７】
光学センサは、光反射部材に向けて光を発光する発光素子と、光反射部材からの反射光を受光する受光素子とを備えており、発光素子から発光した光が光反射部材から反射して受光素子に受光された際に、受光素子から出力された電気信号の特性変化に基づいて、車輪の回転速度が検出される。この場合、光学センサは、静止輪に固定されたセンサ保持体に対して、保持機構により着脱自在に保持可能に構成されており、当該光学センサをセンサ保持体に保持した状態で、受光素子は、光反射部材からの反射光を受光可能位置に位置決めされる。
【０００８】
このような発明において、静止輪には、少なくとも１つの静止軌道面が周方向に沿って形成され、回転輪には、少なくとも１つの回転軌道面が静止軌道面に対向して周方向に沿って形成されており、複数の転動体は、静止軌道面と回転軌道面との間に回転可能に組込まれている。また、静止輪には、当該静止輪を車体側に固定するためのフランジが設けられており、回転輪には、当該回転輪を車輪側に接続させるためのフランジが設けられている。更に、保持機構は、センサ保持体に形成され且つ光学センサを挿入可能なセンサ挿入孔と、光学センサに設けられ且つセンサ挿入孔に対する光学センサの挿入位置を規定するフランジ部と、フランジ部をセンサ保持体に固定するセンサ固定ボルトとを備えている。
【発明の効果】
【０００９】
本発明によれば、車輪の回転速度を光学的に検出することが可能な小型で低価格な軸受ユニットを実現することができる。
【発明を実施するための最良の形態】
【００１０】
以下、本発明の一実施の形態に係る軸受ユニットについて、添付図面を参照して説明する。
図１(ａ)に示すように、本実施の形態の軸受ユニットは、車体側(例えば、懸架装置(サスペンション))に固定されて常時非回転状態に維持される静止輪(外輪)２と、車輪側(例えば、ディスクホイール)に接続されて車輪と共に回転する回転輪(内輪)４と、静止輪２と回転輪４との間に複列(例えば２列)で回転可能に組込まれた複数の転動体6,8とを備えており、車輪側の静止輪２と回転輪４との間には、シール部材１０が介在されている。なお、静止輪２は中空円筒状を成しており、回転輪４の外周を覆うように配置されている。また、転動体6,8として図面では、玉を例示しているが、軸受ユニットの構成や種類に応じて、コロを適用できることは言うまでも無い。
【００１１】
静止輪(外輪)２には、その外周面から外方に向って突出した固定フランジ２ａが一体成形されており、固定フランジ２ａの固定孔２ｂに固定用ボルト(図示しない)を挿入し、これを車体側に締結することで、静止輪２を図示しない懸架装置(サスペンション)に固定することができる。
また、回転輪(内輪)４には、例えば自動車のディスクホイール(図示しない)が接続されて共に回転する略円筒形状のハブ１２が設けられている。このようなハブ１２には、その軸方向一方側にディスクホイールのディスク部(図示しない)を接続させるためのハブフランジ１２ａが突設されている。
【００１２】
ハブフランジ１２ａは、静止輪(外輪)２を越えて外方(ハブ１２の半径方向外側)に向って延出しており、その延出縁付近には、周方向に沿って所定間隔で配置された複数のハブボルト１４が設けられている。この場合、複数のハブボルト１４をディスク部(ディスクホイール)に形成されたボルト孔(図示しない)に差し込んでハブナット(図示しない)で締付けることにより、ディスク部(ディスクホイール)をハブフランジ１２ａに対して位置決めして固定することができる。
【００１３】
また、ハブ１２には、その軸方向他方側に環状の内輪構成体１６(ハブ１２と共に回転輪４を構成する部材)が外嵌されるようになっており、例えば静止輪２と回転輪４との間に複数の転動体6,8を保持器１８で保持した状態で、内輪構成体１６をハブ１２に形成された段部１２ｂまで外嵌した後、ハブ１２の他方側端部１２ｃを加締めることにより、当該内輪構成体１６をハブ１２の軸方向他方側に固定することができる。なお、この状態において、複列の各転動体6,8は、互いに所定の接触角を成して静止輪２と回転輪４の軌道面(静止軌道面２ｓ、回転軌道面４ｓ)にそれぞれ接触して回転可能に組込まれる。この場合、２つの接触点を結んだ作用線(図示しない)は、各軌道面に直交し且つ各転動体6,8の中心を通り、軸受ユニットの中心線上の１点(作用点)で交わる。これにより背面組合せ形(ＤＢ)軸受が構成される。
【００１４】
この構成において、各種自動車の車輪に作用する力は、全てディスクホイール(ディスク部)から軸受ユニットを通じて懸架装置に伝達されることになり、その際、軸受ユニットには、各種の荷重(ラジアル荷重、アキシアル荷重、モーメント荷重など)が作用する。しかし、軸受ユニットは、背面組合せ形(ＤＢ)軸受となっているため、各種の荷重(ラジアル荷重、アキシアル荷重、モーメント荷重など)に対して高い剛性を維持することができる。
【００１５】
図１(ｂ)及び図２(ａ),(ｂ)に示すように、このような軸受ユニットには、車輪の回転速度を光学的に検出する光学センサが設けられており、当該光学センサは、光反射部材２０に向けて光を発光する発光素子Ｐ１と、光反射部材２０からの反射光Ｌを受光する受光素子Ｐ２とを備えている。また、本実施の形態において、保持器１８は回転輪４と共に回転するようになっており、保持器１８の軸方向端面には、当該保持器１８の回転方向に沿って所定間隔で複数の光反射部材２０が設けられている。
【００１６】
この場合、発光素子Ｐ１としては、市販の発光ダイオードを適用すれば良い。一方、受光素子Ｐ２としては、市販のフォトトランジスタやフォトＩＣを適用すれば良い。また、光反射部材２０は、例えば樹脂、金属、ガラスなどを適用し、その反射面２０ｍに光反射膜を成形することで構成することができるが、これ以外の構成でも、光を反射できれば任意の構成を適用することができるため、ここでは特に限定しない。
【００１７】
本実施の形態において、光反射部材２０は、保持器１８に取り付けられるようになっている。この場合、光反射部材２０の取付方法としては、例えば図２(ｃ)に示すように、当該光反射部材２０の取付面２０ａに嵌合凸部２０ｅを突設し、保持器１８には、嵌合凸部２０ｅが嵌合可能な嵌合凹部１８ｈを周方向(保持器１８の回転方向)に沿って所定間隔で形成すれば良い。かかる取付方法によれば、嵌合凸部２０ｅを嵌合凹部１８ｈに嵌合させることで、複数の光反射部材２０を保持器１８に対して所定間隔(例えば、等間隔)に配列させることができる。
【００１８】
なお、光反射部材２０の取付方法としては、嵌合凸部２０ｅや嵌合凹部１８ｈを設ける代わりに、例えば光反射部材２０の取付面２０ａを保持器１８に接着する方法、溶着する方法、ねじ止めする方法などを適用しても良い。
また、図２(ａ)には、複数の光反射部材２０が保持器１８に取り付けられた状態が示されており、この状態において、各光反射部材２０の反射面２０ｍが保持器１８の周方向(保持器１８の回転方向)に沿って所定間隔で配列されている。この場合、図面上において反射面２０ｍが明らかになるように、反射面２０ｍに相当する部分にハッチングを施しているが、これは断面を示すものでは無い。
【００１９】
このような光学センサは、静止輪２に固定されたセンサ保持体２２に対して着脱自在に保持可能に構成されている。本実施の形態では、発光素子Ｐ１を静止輪２に取り付け、受光素子Ｐ２をセンサ保持体２２に保持する構成を例示しているが、これとは逆に、発光素子Ｐ１をセンサ保持体２２に取り付け、受光素子Ｐ２を静止輪２に保持しても良い。この場合、光学センサ(発光素子Ｐ１、受光素子Ｐ２)をセンサ保持体２２に保持した状態で、受光素子Ｐ２は、その受光面Ｓ２が光反射部材２０の反射面２０ｍからの反射光を受光可能位置に位置決めされる。
【００２０】
このような構成によれば、光学センサは、各光反射部材２０からの反射光Ｌの特性変化に基づいて、車輪の回転速度を検出することが可能となる。具体的に説明すると、自動車の走行時に回転輪４が回転すると、これと共に保持器１８も回転する。この場合、回転輪４の回転速度と保持器１８の回転速度は一致している。この状態において、発光素子Ｐ１の発光面Ｓ１から発光した光は、保持器１８の回転に伴って回転する各光反射部材２０(反射面２０ｍ)から反射し、受光素子Ｐ２の受光面Ｓ２に受光される。このとき、受光素子Ｐ２は、光反射部材２０(反射面２０ｍ)からの反射光Ｌの受光量に応じた電気信号(例えば、電圧信号、電流信号)を出力する。
【００２１】
例えば反射光を受光した際の電気信号をＶ１、反射光を受光しない場合の電気信号をＶ０とすると、光反射部材２０は保持器１８の回転方向に沿って所定間隔(等間隔)に配列されているため、保持器１８の回転に伴って各光反射部材２０が回転すると、受光素子Ｐ２からは、電気信号Ｖ１とＶ０とが一定のタイミングで交互に出力される。従って、単位時間当たりに受光素子Ｐ２から出力された電気信号Ｖ１とＶ０の特性変化に基づいて、車輪の回転速度を検出することができる。例えば電気信号Ｖ１に着目すると、単位時間当たりに受光素子Ｐ２から出力される電気信号Ｖ１の有無をカウントすることにより、車輪の回転速度を検出することができる。
【００２２】
以上、本実施の形態によれば、光反射部材２０を保持器１８に取り付けるように構成したことにより、軸受ユニット内に大きなスペースを確保する必要が無くなるため、軸受ユニットの小型化を実現することができる。また、光反射部材２０は単純な形状を成しているため、その製造コストを低く抑えることができ、これにより軸受ユニットの製造コストを大幅に低減することが可能となる。
【００２３】
ここで、軸受ユニットに適用したセンサ保持体２２について説明すると、図１(ｂ)に示すように、センサ保持体２２は、例えば圧入固定機構により、静止輪２に対して圧入して固定されるようになっており、円板状の本体２２ａと、本体２２ａの外周から車輪側に向けて突設された筒状の筒状体２２ｂとを備えている。また、軸受ユニットには、光学センサ(発光素子Ｐ１、受光素子Ｐ２)をセンサ保持体２２に対して着脱自在に保持するための保持機構が設けられている。なお、センサ保持体２２の材質としては、例えば耐熱性や耐久性に優れた樹脂材料(特に限定しない)を適用することができる。
【００２４】
圧入固定機構としては、例えば静止輪２に圧入して嵌合させることが可能な中空円筒状の芯金２８を適用することができる。かかる芯金２８は、その基端部２８ａが筒状体２２ｂに固定されており、その先端部２８ｂが静止輪２の内周面２ｎに沿って延出している。なお、芯金２８は、センサ保持体２２の成形プロセスで一体モールドすることができる。この場合、芯金２８の基端部２８ａの形状は、図１(ｂ)に例示したように外向に折返した形状に限定されることは無く、例えば基端部２８ａから先端部２８ｂまでをストレートな中空円筒状にしても良い。いずれの場合においても、芯金２８の材質としては、例えば冷間圧延鋼板(SPCC,SPCD,SPCE,SPCF,SPCG)や、その他の金属材料、或いは、剛性の高い樹脂材料などを適用すれば良い。
【００２５】
また、芯金２８の先端部２８ｂの外径は、静止輪２の内周面２ｎの内径よりも僅かに大きく設定されている。このような圧入固定機構によれば、芯金２８の先端部２８ｂを静止輪２の内周面２ｎに沿って圧入して嵌合させることにより、静止輪２の車体側の端面２ｍと筒状体２２ｂの車輪側の端面２２ｍとを相互に圧接させた状態で、センサ保持体２２(本体２２ａ、筒状体２２ｂ)を静止輪２に固定することができる。
【００２６】
この場合、静止輪２の端面２ｍと筒状体２２の端面２２ｍとの間に、密封部材２６を介在させることが好ましい。これによれば、センサ保持体２２(本体２２ａ、筒状体２２ｂ)を静止輪２に固定させる際に、密封部材２６が静止輪２の端面２ｍと筒状体２２の端面２２ｍとの間に圧接することで、センサ保持体２２と静止輪２との間の密封性を高めることができる。この結果、軸受ユニット内部を一定の密封状態に維持することができるため、封入した潤滑剤(例えば、グリース、油)が軸受外部に漏洩したり、異物(例えば、水、塵埃)が軸受内部に侵入するのを確実に防止することができる。なお、密封部材２６としては、例えばＯリング、オイルシール、パッキン、メカニカルシールなどを使用目的に応じて任意に選択することができるが、これ以外のものでも良い。
【００２７】
一方、保持機構は、センサ保持体２２の本体２２ａに形成され且つ光学センサ(発光素子Ｐ１、受光素子Ｐ２)を挿入可能なセンサ挿入孔２２ｃと、光学センサに設けられ且つセンサ挿入孔２２ｃに対する光学センサの挿入位置(或いは、挿入量)を規定するフランジ部３０と、フランジ部３０をセンサ保持体２２の本体２２ａに固定するセンサ固定ボルト３２とを備えている。この場合、センサ挿入孔２２ｃの内径は、光学センサ(発光素子Ｐ１、受光素子Ｐ２)の外径に略一致又は当該外径よりも僅かに大きく設定されており、センサ挿入孔２２ｃに対して光学センサを傷つけること無くスムーズに挿入或いは引き抜きできるようになっている。
【００２８】
また、フランジ部３０は、光学センサ(発光素子Ｐ１、受光素子Ｐ２)と一体で形成しても良いし、或いは、別体として形成して光学センサに後付けしても良い。いずれの場合においても、光学センサ(発光素子Ｐ１、受光素子Ｐ２)をセンサ挿入孔２２ｃに挿入していくと、フランジ部３０が本体２２ａに当接することで、それ以上光学センサを挿入できなくなり、これによりセンサ挿入孔２２ｃに対する光学センサの挿入位置(挿入量)を決めることができる。なお、光学センサの挿入位置(挿入量)は、光反射部材２０の反射面２０ｍからの反射光Ｌが受光素子Ｐ２に対して高精度に受光されるように設定されることになるが、これは軸受ユニットの大きさや形状に応じて任意の設定値となるため、ここでは挿入位置(挿入量)について特に数値限定はしない。
【００２９】
また、フランジ部３０には、センサ固定ボルト３２を挿通するためのボルト挿通孔３０ａが形成されており、一方、センサ保持体２２の本体２２ａには、フランジ部３０を本体２２ａに当接させた際にボルト挿通孔３０ａに正対(対向)する位置にボルト固定孔２２ｄが形成されている。このような構成によれば、光学センサ(発光素子Ｐ１、受光素子Ｐ２)をセンサ挿入孔２２ｃに挿入し、フランジ部３０を本体２２ａに当接させた状態で、ボルト挿通孔３０ａからボルト固定孔２２ｄにセンサ固定ボルト３２を挿入して捩じ込む(締結する)ことにより、フランジ部３０を本体２２ａに固定(締結)させることができる。
【００３０】
ここで、センサ固定ボルト３２をボルト固定孔２２ｄに捩じ込む(締結する)方法としては、例えばボルト固定孔２２ｄの内周にネジ部(図示しない)を形成し、このネジ部にセンサ固定ボルト３２を捩じ込んで(締結して)固定する方法や、図１(ｂ)に例示したようにボルト固定孔２２ｄに袋ナット３４を一体形成し、この袋ナット３４にセンサ固定ボルト３２を捩じ込んで(締結して)固定する方法などを適用することができる。なお、ネジ部や袋ナット３４は、センサ保持体２２の成形プロセスで一体モールドすることができる。
【００３１】
このような保持機構によれば、光学センサ(発光素子Ｐ１、受光素子Ｐ２)をセンサ挿入孔２２ｃに挿入し、ボルト固定孔２２ｄでフランジ部３０を本体２２ａに固定(締結)することで、当該光学センサをセンサ保持体２２に着脱自在に保持することができ、その保持状態において、受光素子Ｐ２の受光面Ｓ２を光反射部材２０の反射面２０ｍからの反射光を受光可能位置に位置決めすることができる。この場合、光学センサ(発光素子Ｐ１、受光素子Ｐ２)とセンサ挿入孔２２ｃとの間に密封部材２４(例えば、Ｏリング、パッキンなど)を介在させることで、センサ挿入孔２２ｃに対する光学センサの保持安定性や、センサ挿入孔２２ｃと光学センサとの間の密封性を高めることができる。
【００３２】
なお、本実施の形態では、受光素子Ｐ２をセンサ保持体２２に保持した構成を例示しており、この例に係る保持機構の保持方法について具体的に説明すると、受光素子Ｐ２をセンサ挿入孔２２ｃに挿入していくと、当該受光素子Ｐ２に設けられたフランジ部３０が本体２２ａに当接することで、それ以上受光素子Ｐ２を挿入できなくなり、これによりセンサ挿入孔２２ｃに対する受光素子Ｐ２の挿入位置(挿入量)が決まる。この状態において、ボルト挿通孔３０ａからボルト固定孔２２ｄにセンサ固定ボルト３２を挿入して捩じ込んで(締結して)フランジ部３０を本体２２ａに固定(締結)することで、受光素子Ｐ２の受光面Ｓ２を光反射部材２０の反射面２０ｍからの反射光を受光可能位置に位置決めすることができる。
【００３３】
また、上述したような保持機構によれば、センサ固定ボルト３２を外すだけで、簡単且つ短時間に光学センサ(発光素子Ｐ１、受光素子Ｐ２)をセンサ保持体２２から取り外すことが可能となり、その結果、例えば光学センサ(発光素子Ｐ１、受光素子Ｐ２)の交換や保守・点検などのメンテナンスを容易に行うことができる。そして、メンテナンス後に光学センサをセンサ挿入孔２２ｃに挿入し、センサ固定ボルト３２を捩じ込む(締結する)だけで、簡単且つ短時間に当該光学センサをセンサ保持体２２に取り付けることができる。
【００３４】
なお、上述した実施の形態では、発光素子Ｐ１と受光素子Ｐ２とが別体として構成された光学センサを想定して説明したが、例えば図３に示すように、発光素子Ｐ１と受光素子Ｐ２とが一体として構成された光学センサであっても良い。この構成例において、光学センサは、上述した保持機構によりセンサ保持体２２に対して着脱自在に保持されており、その発光素子Ｐ１から発光した光は、光反射部材２０の反射面２０ｍで反射した後、再び光学センサの受光素子Ｐ２に受光される。この場合も、上述した実施の形態と同様に、単位時間当たりに受光素子Ｐ２から出力された電気信号Ｖ１とＶ０の特性変化に基づいて、車輪の回転速度を検出することができる。
【００３５】
また、上述した実施の形態では、別体の光反射部材２０を保持器１８に複数取り付ける構成例を説明したが、これに限定されることは無く、例えば複数の光反射部材２０を相互に連結して一体物とし、これを一度に保持器１８に取り付けるように構成しても良い。
【００３６】
また、上述した実施の形態では、第３世代の軸受ユニットを想定しているが、例えば図４に示すような第２世代の軸受ユニットにも本発明の技術を適用することにより、同様の効果を得ることができる。
本変形例の軸受ユニットにおいて、ハブ１２には、２つの内輪構成体16a,16b(ハブ１２と共に回転輪４を構成する部材)が外嵌されている。この場合、例えば回転輪４に一方の内輪構成体１６ａを外嵌した後、静止輪２と回転輪４(内輪構成体１６ａ)との間に複数の転動体6,8を保持器１８で保持した状態で、他方の内輪構成体１６ｂを一方の内輪構成体１６ａに当て付けるまで外嵌し、ナット３６で締付けることにより、２つの内輪構成体16a,16bと静止輪２との間に複数の転動体6,8を回転可能に組込むことができる。
【００３７】
また、本変形例の軸受ユニットも同様に、ハブボルト１４によりブレーキディスク(ブレーキドラム)３４を介してディスクホイール３６をハブフランジ１２ａに対して位置決めして固定することができる。なお、図面では、固定フランジ２ａに固定される車体側(懸架装置)のナックルは省略している。これ以外の本変形例の軸受ユニットの構成は、上述した実施の形態と同一であるため、図面上で同一符号を付してその説明は省略する。
【図面の簡単な説明】
【００３８】
【図１】(ａ)は、本発明の一実施の形態に係る軸受ユニットの構成を示す断面図、(ｂ)は、光反射部材と光学センサの配置構成を示す断面図。
【図２】(ａ)は、保持器に設けられた光反射部材の配置構成の一部を示す平面図、(ｂ)は、同図(ａ)の断面図、(ｃ)は、光反射部材を保持器に取り付けるための構成を示す図。
【図３】光反射部材と光学センサの他の配置構成を示す断面図。
【図４】本発明の変形例に係る軸受ユニットの構成を示す断面図。
【符号の説明】
【００３９】
２  静止輪(外輪)
４  回転輪(内輪)
6,8  転動体
１０  シール部材
１２  ハブ
１４  ハブボルト
１６  内輪構成体
１８  保持器
２０  光反射部材
２２  センサ保持体
２４、２６  密封部材
２８  芯金
３０  フランジ部
３２  センサ固定ボルト
３４  袋ナット
Ｐ１  発光素子
Ｐ２  受光素子
【図１】
2007046911.tif 000003
【図２】
2007046911.tif 000004
【図３】
2007046911.tif 000005
【図４】
2007046911.tif 000006